(57)【特許請求の範囲】
【請求項１】
円筒状のスタンドパイプと、
前記スタンドパイプの先端に対して該スタンドパイプと同一軸線上に取り付けられた筒状のフックコアと、
前記フックコア及びスタンドパイプのそれぞれの内周面に沿って夫々嵌め込まれる複数のフックと、
前記フックコアから前記スタンドパイプにわたって前記フックコア及び前記スタンドパイプの同一軸線上に挿入されて前記フックを固定する固定ピンとを有する輸液フックであって、
前記フックは、前記フックコア及び前記スタンドパイプの内部に収容される垂下部と、該垂下部の上端部から屈曲して前記スタンドパイプの外側に張り出し、輸液バッグを掛けることが可能な懸架部とを有し、
前記固定ピンは、スタンドパイプの内径から垂下部の直径２つ分の長さを除した直径を有する円柱状であって、前記スタンドパイプに収容された複数の垂下部の中央に嵌め込まれ、外側面において前記フックの垂下部に当接することを特徴とする輸液フック。
【請求項２】
移動可能な脚部と、該脚部に対して垂直に支持された円筒状のスタンドパイプと、該スタンドパイプの上端に固定され、輸液バッグを掛けるための輸液フックとを備える点滴スタンドであって、
前記輸液フックは、前記スタンドパイプの先端に対して該スタンドパイプと同一軸線上に取り付けられた筒状のフックコアと、
前記フックコア及びスタンドパイプのそれぞれの内周面に沿って夫々嵌め込まれる複数のフックと、
前記フックコアから前記スタンドパイプにわたって前記フックコア及び前記スタンドパイプの同一軸線上に挿入されて前記フックを固定する固定ピンとを有し、
前記フックは、前記フックコア及び前記スタンドパイプの内部に収容される垂下部と、該垂下部の上端部から屈曲して前記スタンドパイプの外側に張り出し、輸液バッグを掛けることが可能な懸架部とを有し、
前記固定ピンは、スタンドパイプの内径から垂下部の直径２つ分の長さを除した直径を有する円柱状であって、前記スタンドパイプに収容された複数の垂下部の中央に嵌め込まれ、外側面において前記フックの垂下部に当接することを特徴とする点滴スタンド。
【発明の詳細な説明】
【技術分野】
【０００１】
本発明は、輸液バッグ等を掛ける輸液フック及び該輸液フックを備える点滴スタンドに関する。
【背景技術】
【０００２】
従来から、移動可能な脚ベースに支柱を支持させ、その支柱に輸液バッグを掛けるための輸液フックを設けてなる点滴スタンドが用いられている。
【０００３】
この種の点滴スタンドの輸液フックとしては、支柱の先端に合成樹脂製の取付部材（フックコア）を固定し、該フックコアに金属製のフックを取り付けたものが知られている（例えば、特許文献１参照）。
【先行技術文献】
【特許文献】
【０００４】
【特許文献１】特開２０１３−１７６５３号公報
【発明の概要】
【発明が解決しようとする課題】
【０００５】
しかしながら、前記点滴スタンドの輸液フックは、フックに輸液バッグを繰り返し掛けていると、フックコアは合成樹脂製であるため、輸液バッグの荷重による負荷によってクリープ変形するという不都合がある。
【０００６】
上記の点に鑑み、本発明は、フックコアがクリープ変形しにくい輸液フック及びこれを備える点滴スタンドを提供することを目的とする。
【課題を解決するための手段】
【０００７】
かかる目的を達成するために、本発明の輸液フックは、スタンドパイプの先端に取り付けられ、複数の溝部が形成された筒状のフックコアと、前記フックコアの各溝部に夫々嵌め込まれる複数のフックと、前記フックコアからスタンドパイプに渡って挿入され、前記フックを固定する固定ピンとを有する輸液フックであって、前記フックは、前記溝部に嵌め込まれ、該溝部を通過した先端部において前記スタンドパイプの内部に収容される垂下部と、該垂下部の端部から連続して前記スタンドパイプの外側に張り出し、輸液バッグを掛けることが可能な懸架部とを有し、前記固定ピンは、前記スタンドパイプに収容された複数の垂下部の中央に嵌め込まれ、側面において各フックの垂下部に当接することを特徴とする。
【０００８】
本発明の輸液フックでは、フックの垂下部の先端部がスタンドパイプの内部に収納される。このフックの垂下部は、フックコアの溝部を通過するものであって、該溝部はスタンドパイプの軸方向に沿って形成されているため、溝部に挿入された垂下部の先端は、該溝部からスタンドパイプに案内されて、スタンドパイプ内部にその側面に沿って収納される。
【０００９】
そして、スタンドパイプの内部は、複数の垂下部の中央に、側面において各垂下部に当接する固定ピンが嵌め込まれている。
【００１０】
そのため、一方のフックの懸架部に輸液バッグを掛けた場合、その負荷は、該懸架部に連続する垂下部に当接する固定ピンに伝達される。そして、固定ピンに伝達された負荷は、該固定ピンに当接している他方のフックの垂下部を介して、該垂下部を挟んで該固定ピンと対向するスタンドパイプ内部側面に伝達される。
【００１１】
したがって、本発明の輸液フックによれば、スタンドパイプ及び固定ピンが輸液バッグの荷重による負荷を受けるため、フックコアがクリープ変形することを防止することができる。
【００１２】
なお、輸液バッグとは、血液や薬液などの液体を収容するものであって、一般的には、柔軟なプラスチック製のバッグ形状のものを指すが、本発明の輸液バッグはこれに限らず、液体を収容する容器であれば、液体の種類及び容器の形状・素材はこれに限られない。
【００１３】
また、本発明の点滴スタンドは、移動可能な脚部と、該脚部に対して垂直に支持されたスタンドパイプと、該スタンドパイプの上端に固定され、輸液バッグを掛けるための輸液フックとを備える点滴スタンドであって、前記輸液フックは、スタンドパイプの先端に取り付けられ、該スタンドパイプの軸方向に沿った複数の溝部が形成された筒状のフックコアと、前記フックコアの各溝部に夫々嵌め込まれる複数のフックと、前記フックコアに挿入され、前記フックを固定する固定ピンとを有し、前記フックは、前記溝部に嵌め込まれ、該溝部を通過した先端部において前記スタンドパイプの内部に収容される垂下部と、該垂下部の端部から連続して前記スタンドパイプの外側に張り出し、輸液バッグを掛けることが可能な懸架部とを有し、前記固定ピンは、前記スタンドパイプに収容された複数の垂下部の中央に嵌め込まれ、側面において各フックの垂下部に当接することを特徴とする。
【００１４】
上記同様、本発明の点滴スタンドによれば、スタンドパイプ及び固定ピンが輸液バッグの荷重による負荷を受けるため、フックコアがクリープ変形することを防止することができる。
【図面の簡単な説明】
【００１５】
【図１】本発明の一実施形態に係る輸液フックを取り付けた点滴スタンドの全体構成を示す斜視図
【図２】図１の蓋部を外した状態を示す説明的斜視図
【図３】図１おける軸方向に沿った断面図
【図４】本発明の第１変形例に係る固定ピンを示す平面図。
【図５】本発明の第２変形例に係る固定ピンを示す平面図。
【発明を実施するための形態】
【００１６】
本発明の一実施形態を図面に基づいて説明する。図１に示すように、点滴スタンド１は、移動可能な脚部２と、該脚部２に対して垂直に支持された金属製のスタンドパイプ３と、そのスタンドパイプ３の上端に固定され、輸液バッグＰを掛けるための輸液フック４とを備える。
【００１７】
輸液フック４は、スタンドパイプ３の上端に固定されるフックコア５と、フックコア５から放射状に延びるフック６と、フックコア５に装着されるキャップ７とを有する。
【００１８】
次いで、図２及び図３を用いて、輸液フック４の内部構造を説明する。
【００１９】
フックコア５は、合成樹脂製であり、図３に示すように、外筒５１と、外筒５１の下端から内側に折り返されるように連続する内筒５２とからなる。内筒５２の内周面は、上側に相対的に小径な上側部５２１が形成され、該上側部５２１の下端から段差部５２２を介して、下側に相対的に大径な下側部５２３が形成されている。
【００２０】
上側部５２１の内径は、スタンドパイプ３の内径と実質的に同一に設計され、他方、下側部５２３の内径は、スタンドパイプ３の外径と実質的に同一に設計されている。
【００２１】
図２に示すように、外筒５１は、上端縁に内面から外面に向かって溝部５１１が設けられている。溝部５１１は、該上端縁に４つ等間隔に設けられている。
【００２２】
該溝部５１１を通じて、フック６は外筒５１の内部から外部に向かって突出する。この状態でキャップ７によってフックコア５に蓋をすることで、フック６の外周の一部は、溝部５１１及びキャップ７によって、支持される。
【００２３】
図２に示すように、外筒５１の上端部内周と内筒５２の上端との間には、平面視Ｌ字状の架橋部５１２が４つ設けられ、全体として平面視十字状に交差する溝が形成されている。
【００２４】
また、図２及び図３に示すように、外筒５１は、上端から上方に延出し、軸心を挟んで対向する２つの係止部５１３を備える。
【００２５】
キャップ７は、図３に示すように、円盤状の天板７１と、該天板７１の外周から連続して下方に延びる外壁部７２と、天板７１の裏面の中心から下方に突出し、後述する固定ピン８を押圧する押圧部７３とを備える。
【００２６】
キャップ７の外壁部７２に、フックコア５の係止部５１３を嵌入させ、外壁部７２の内周面を係止部５１３の外周面で摩擦係合させることで、キャップ７はフックコア５に固定される。なお、キャップ７の固定方法は、これに限られず、係止部５１３に凸部を設け、外壁部７２に凹部を設けたロック機構としてもよく、フックコア５の外周に雄ネジ構造を設け、キャップ７の外壁部７２の内周に雌ネジ構造を設けて両部材を螺合させてもよく、単に両部材を接着してもよい。
【００２７】
図３に示すように、フック６は、垂下部６１と、垂下部６１の上端から略Ｌ字状に屈曲して連続する懸架部６２とを有する金属製の部材である。
【００２８】
なお、図１及び図２に示すように、本実施形態では、懸架部６２の先端は、Ｐ字状に湾曲され、輸液バッグを掛けやすくなっているが、本発明はこれに限られず、輸液バッグＰを掛けられるようにフックコア５から延出できれば、直線状又は他の曲線状であってもよい。
【００２９】
図２及び図３に示すように、放射状に配列されたフック６の中心には、底面が正方形の角柱状のステンレス製の固定ピン８が嵌入されている。固定ピン８の底面の辺は、スタンドパイプ３の内径から、垂下部６１の直径２つ分の長さを除した長さに設計されている。
【００３０】
固定ピン８は、上部の４つ側面に軸方向に垂直な溝が連続して設けられており、該溝にＥリング９がはめ込まれ、該Ｅリング９がフック６に係止されることで、下方に落下しないように支持されている。
【００３１】
続いて、本実施形態のフックコア５を備えた点滴スタンド１の製造について説明する。
【００３２】
まず、移動可能な脚部２が下部に取り付けられたスタンドパイプ３の先端部に、フックコア５を取り付ける。具体的には、フックコア５の内筒５２の該下側部５２３に対し、スタンドパイプの先端部を前記段差部５２２に接するまで圧入する。下側部５２３の内径は、スタンドパイプ３の外径と実質的に同一に設計されているので、これにより、スタンドパイプ３に輸液フック４が固定される。
【００３３】
このとき、上記のとおり、フックコア５の上側部５２１の内径は、スタンドパイプ３の内径と実質的に同一に設計されているため、上側部５２１の内周面とスタンドパイプ３とは、同一の内径で同軸上に伸びることになる。
【００３４】
次に、図３に示すように、上側部５２１を通って、スタンドパイプ３の内部に、フック６の垂下部６１を嵌めこんでいく。該フックの垂下部６１の先端部が、スタンドパイプ３内部まで到達した後に、図２に示すように、該フック６の懸架部６２を、隣接する架橋部５１２によって形成される溝部５１２ａ、及び、溝部５１２ａから連通する溝部５１１に対して嵌め込む。該溝部５１２ａは、フック６を両側から懸架部６２で挟み込むことで、フック６が放射状に延出するように位置合わせする。本実施形態では、フックコア５は、４つのフック６が取り付けられるため、この作業を４回繰り返す。
【００３５】
なお、本実施形態におけるフックコア５の上側部５２１及び隣接する架橋部５１２によって形成される溝部５１２ａの少なくとも１つが、本発明の溝部に相当する。
【００３６】
次に、放射状に配列されたフック６の中心に、固定ピン８を割り込ませるように嵌入していく。この結果、該固定ピン８の４つの側面は４つのフック６の垂下部６１が当接し、該垂下部６１の固定ピン８と当接した面と対向する面は、スタンドパイプ３の内周面及びフックコア５の上側部５２１の内周面と当接する。
【００３７】
次に、固定ピン８の上部に設けられた溝に、Ｅリング９がはめ込まれることで、固定ピンがフック６に支持される。
【００３８】
最後に、フックコア５をキャップ７で蓋をする。このとき、キャップ７の押圧部７３は、固定ピン８が上方に外れないように、下方に押圧する。
【００３９】
続いて、本実施形態のフックコア５を備えた点滴スタンド１に、輸液バッグを掛けた場合の負荷の伝達について、図３の右側のフック６の懸架部６２に輸液バッグＰを掛けたケースを例に説明する。
【００４０】
右側のフック６の懸架部６２に輸液バッグＰを掛けた場合、懸架部６２の先端部には、下方向に荷重が発生するので、フック６全体としては、フックコア５を支点として回転モーメントが発生する。このとき、フック６は、略Ｌ字状に屈曲しているため、かかる荷重は、右側のフック６の垂下部６１が固定ピン８を左側に押す力に変換される。このとき、固定ピン８は、左右両側のフック６の垂下部６１と接しており、左右両側のフック６は、夫々スタンドパイプ３の内周面と接しているため、右側のフック６の垂下部６１が固定ピン８を左側に押そうとする負荷は、固定ピン８及び左側のフック６の垂下部６１を介して、スタンドパイプ３の内周面に伝達される。
【００４１】
以上説明したとおり、本実施形態のフックコア５を備えた点滴スタンド１では、フック６の懸架部６２に輸液バッグＰを掛けた負荷は、フック６、固定ピン８及びスタンドパイプ３の内周面にのみ伝達される。したがって、フックコア５が合成樹脂製であってもクリープ変形しにくい。
【００４２】
特に、本実施形態のフックコア５を備えた点滴スタンド１では、フック６、固定ピン８及びスタンドパイプ３は、いずれも金属製であるため、強度を確保しつつ、フックコア５を合成樹脂製にすることで、製品全体の軽量化及びコストの低下を図ることができる。
【００４３】
［変形例］
本実施形態では、角柱状の固定ピン８について説明したが、本発明はこれに限られず、スタンドパイプ３の内部にフック６の垂下部６１と共に嵌入されたときに、両者が接するように配置される大きさ及び形状を備えるものであればよい。
【００４４】
従って、例えば、図４に示す本実施形態の変形例１のように、固定ピン８を、円柱の側面に軸方向に沿って弧状の凹部を設けた形状にしてもよい。これによれば、垂下部６１が平面視で点ではなく線で固定ピン８と接するため、より、フック６のガタツキを抑制しやすい。また、図５に示す本実施形態の変形例２のように、固定ピン８を円柱状に形成することで製造コストを抑えることもできる。
【００４５】
また、フック６は、４つに限られず、本実施形態及び変形例１であれば、対向する２つのフック６であってもよい。
【００４６】
さらには、図５に示す本実施形態の変形例２のように、架橋部５１２を除いた形状にしてもよい。これによれば、フック６を自由に配置することができるため、図５に示すように、３つのフック６を等間隔に配置することもでき、５つ以上のフック６を取り付けることもできる。
【００４７】
なお、本発明のフックコア５は、上側部５２１を除いた構造にすることもできる。
【００４８】
また、本実施形態の固定ピン８は、溝にＥリングを嵌めこむことで抜け止めされているが、本発明はこれに限られず、上端部に大径部を有する固定ピンをインサート成形してもよく、インサート成形した大径部を固定ピンに圧入して抜け止めとしてもよい。
【符号の説明】
【００４９】
１…点滴スタンド、２…脚部、３…スタンドパイプ、４…輸液フック、５…フックコア、５２１…溝部、６…フック、６１…垂下部、６２…懸架部、８…固定ピン、Ｐ…輸液バッグ。
【図１】
0006633912.tif 000002
【図２】
0006633912.tif 000003
【図３】
0006633912.tif 000004
【図４】
0006633912.tif 000005
【図５】
0006633912.tif 000006